(57)【要約】【課題】データそのもののセキュリティ性を高めるようにしたデータセキュリティフォームとその製造方法を提供する。【解決手段】データセキュリティフォーム１０は、表出する面（第１の基材１１の表面）に個別データａが印字された第１の基材１１と、第１の基材１１と貼り合わされ、個別データａのうち少なくとも一部のデータと同一か又は関連性を有する内部データｂが、表出しない内部（第２の基材１２の表面）に印字された第２の基材１２とを備えている。個別データａは、例えば、氏名、会員番号、住所、電話番号、発行番号、金銭、日時等であり、内部データｂは、その個別データａと同一か又は関連するデータである。この内部データは、第１、第２の基材１１、１２の背面に光源を置いて、光学的に透かして判読することができる。【選択図】        図１
2005001355.tif 000002
【特許請求の範囲】
【請求項１】
基材の表出する面に個別データを設け、
前記基材の表出しない内部に、前記個別データのうち少なくとも一部のデータと同一か又は関連性を有する内部データを設け、
前記内部データは、前記基材を透かして判読できること、
を特徴とするデータセキュリティフォーム。
【請求項２】
表出する面に個別データが印字された第１の基材と、
前記第１の基材と貼り合わされ、前記個別データのうち少なくとも一部のデータと同一か又は関連性を有する内部データが、表出しない内部に印字された第２の基材とを備え、
前記内部データは、前記第１及び／又は第２の基材を透かして判読できること、
を特徴とするデータセキュリティフォーム。
【請求項３】
請求項１又は請求項２に記載のデータセキュリティフォームにおいて、
前記内部データは、氏名、会員番号、住所、電話番号、発行番号、金銭、日時に代表される本人又は伝票自体、伝票発行業務を特定するための識別に関連するデータであること、
を特徴とするデータセキュリティフォーム。
【請求項４】
請求項１から請求項３までのいずれか１項に記載のデータセキュリティフォームにおいて、
前記各基材は、フォーム用上質紙、上質紙、中質紙を含む透過性の低い紙、又は、ＰＥＴ、ＰＰ、ＰＶＣを含む乳白色の透過性の低い合成紙であること、
を特徴とするデータセキュリティフォーム。
【請求項５】
請求項１から請求項４までのいずれか１項に記載のデータセキュリティフォームを製造するデータセキュリティフォームの製造方法において、
前記第１の基材の個別データを、前記第２の基材に前記内部データを、同一のプリンタによって同時に印字する印字工程と、
前記第１の基材と前記第２の基材を、前記内部データが表出しないように略全面を貼り合わせる貼り合わせ工程と、
を備えることを特徴とするデータセキュリティフォームの製造方法。
【発明の詳細な説明】
【０００１】
【発明の属する技術分野】
本発明は、印字データにセキュリティ性をもたせたデータセキュリティフォームとその製造方法に関するものである。
【０００２】
【従来の技術】現在、ＮＩＰ用（フォーム用）上質紙にデータを印字した場合に、この印字データそのものの正確さは、元のデータにまで遡って確認しなければならず、現実的には、この印字データそのものをその場でチェックすることは困難である。
【０００３】
その結果、用紙そのものの絵柄の中に『コピー牽制用の模様』を埋め込んでみたり、又は、印字した用紙の一部にバーコードやＯＣＲ文字のようなマシンリーダブルな記号を設けておき、例えば、窓口でこの記号を読み取って検証するようにしていた。
【０００４】
前述したコピー牽制用の模様は、これまで、それなりの効果が認められてきたが、スキャナやコピー機の性能が向上するのに伴って、実質的な効果としては期待できなくなってきている。
【０００５】
一方、バーコードやＯＣＲ文字のような記号を印字データ面の一部に設ける方法においては、印字デザインの体裁が悪くなるという問題に加え、読み取る機械が存在しなければ使えない（特に、非常時等では使いにくい）、という決定的な問題があった。
【０００６】
そこで、ホログラムラベルを貼り込んだり（例えば、特許文献１）、又は、パールインキのような特殊印刷を施した用紙を使用するようなもの（例えば、特許文献２）も提案、実用化されてきている。
【特許文献１】
特開２０００−１９４２６５号公報
【特許文献２】
特開平９−１６９１６１号公報
【０００７】
【発明が解決しようとする課題】
しかし、これらは、確かに媒体としての偽造そのものは困難であるが、印字データ自体の変造（改ざん）に対しては、無防備な場合も少なからずあった。
つまり、ホログラムラベルの上に印字することはできず、また、印字した後でホログラムラベルを上から貼り込むことは、印字データが判読できなくなる（又は、判読しにくくなる）ことから、ホログラムラベルは、印字データとは重ならない位置に貼らなければならない。
【０００８】
また、パールインキの場合も同様であり、パールインキに限らず、インキ上は印字トナー（ＩＪであればＩＪインキ）の定着性が悪くなるため、印字部分に重ならない位置に配置しなければならない。
【０００９】
本発明の課題は、データそのもののセキュリティ性を高めるようにしたデータセキュリティフォームとその製造方法を提供することである。
【００１０】
【課題を解決するための手段】
前記課題を解決するために、請求項１の発明は、基材の表出する面に個別データを設け、前記基材の表出しない内部に、前記個別データのうち少なくとも一部のデータと同一か又は関連性を有する内部データを設け、前記内部データは、前記基材を透かして判読できること、を特徴とするデータセキュリティフォームである。
【００１１】
請求項２の発明は、表出する面に個別データが印字された第１の基材と、前記第１の基材と貼り合わされ、前記個別データのうち少なくとも一部のデータと同一か又は関連性を有する内部データが、表出しない内部に印字された第２の基材とを備え、前記内部データは、前記第１及び／又は第２の基材を透かして判読できること、を特徴とするデータセキュリティフォームである。
【００１２】
請求項３の発明は、請求項１又は請求項２に記載のデータセキュリティフォームにおいて、前記内部データは、氏名、会員番号、住所、電話番号、発行番号、金銭、日時に代表される本人又は伝票自体、伝票発行業務を特定するための識別に関連するデータであること、を特徴とするデータセキュリティフォームである。
【００１３】
請求項４の発明は、請求項１から請求項３までのいずれか１項に記載のデータセキュリティフォームにおいて、前記各基材は、フォーム用上質紙、上質紙、中質紙を含む透過性の低い紙、又は、ＰＥＴ、ＰＰ、ＰＶＣを含む乳白色の透過性の低い合成紙であること、を特徴とするデータセキュリティフォームである。
【００１４】
請求項５の発明は、請求項１から請求項４までのいずれか１項に記載のデータセキュリティフォームを製造するデータセキュリティフォームの製造方法において、前記第１の基材の個別データを、前記第２の基材に前記内部データを、同一のプリンタによって同時に印字する印字工程と、前記第１の基材と前記第２の基材を、前記内部データが表出しないように略全面を貼り合わせる貼り合わせ工程と、を備えることを特徴とするデータセキュリティフォームの製造方法である。
【００１５】
【発明の実施の形態】
以下、図面等を参照して、本発明の実施の形態について、さらに詳しく説明する。
（第１実施形態）
図１は、本発明によるデータセキュリティフォームの第１実施形態を示した図である。
第１実施形態のデータセキュリティフォーム１０は、請求書を例にしたものであり、第１の基材１１と、第２の基材１２とを備えている。
第１の基材１１は、表出する面（第１の基材１１の表面）に個別データａが印字された用紙である。
第２の基材１２は、第１の基材１１と貼り合わされ、個別データａのうち少なくとも一部のデータと同一か又は関連性を有する内部データｂが、表出しない内部（第２の基材１２の表面）に印字された用紙である。
【００１６】
第１及び第２の基材１１、１２は、フォーム用上質紙、上質紙、中質紙等の透過性の低い紙、又は、ＰＥＴ、ＰＰ、ＰＶＣ等の乳白色の透過性の低い合成紙を用いることができる。
個別データａは、例えば、氏名、会員番号、住所、電話番号、発行番号、金銭、日時に代表される本人又は伝票自体、伝票発行業務を特定するための識別に関連するデータであり、内部データｂは、その個別データａと同一か又は関連するデータである。
この内部データは、第１、第２の基材１１、１２を透かして判読できる。例えば、このフォーム１０の背面に光源を置いて、光学的に透かして判読することができる。
【００１７】
このデータセキュリティフォーム１０は、第１の基材１１の個別データａを、第２の基材１２に内部データｂを、同一のプリンタによって同時に印字し（印字工程）、第１の基材１１と第２の基材１２を、内部データｂが表出しないように略全面を貼り合わせる（貼り合わせ工程）。
個別データａと内部データｂを、同一のプリンタによって同時に印字することにより、データのマッチングミスがなくなる。
内部データｂが表出しないように、第１、第２の基材１１、１２の略全面を貼り合わせるので、個別データａが改ざんされた場合にも、透かして内部データｂと照合することにより、個別データａを保証することができる。
【００１８】
次に、具体的な製造例をあげて、さらに詳しく説明する。
（１）第１の基材１１として、２１０ｍｍ幅の左右に、各１２．  ７ｍｍ幅のマージナルパンチ（貼り合わせの位置決めのために）を設けた２３５．  ４ｍｍ幅のＮＩＰ用上質紙Ａに対して、所定の印字（個別データ）ａを行う。
（２）次いで、第２の基材１２として、同様に、２１０ｍｍ幅の左右に各１２．  ７ｍｍ幅のマージナルパンチを設けた同一幅のＮＩＰ用上質紙Ｂに所定の印字（内部データ）ｂを行う。ここでは、印字ｂは、請求の日付、請求額である。
（３）印字ａと印字ｂは、少なくとも一部に同一又は関連性を有するデータが存在している。
【００１９】
（４）この印字された上質紙Ａに、印字された上質紙Ｂを、印字ａが表出し、印字ｂが内在するように貼り合わせる。
（５）印字ｂのうち、少なくとも一部の印字データは、第１の基材１１である上質紙Ａ、及び／又は、第２の基材１２である上質紙Ｂの面から見て、背面に光源を有した場合に、透過して判読できるように工夫されている。
（６）その結果、表出する印字ａのデータが、内在された印字ｂにより、その正確さが保証される。
【００２０】
このように、本実施形態によれば、第１の基材１１の表出する面に個別データａを設け、第２の基材１２の表面の表出しない内部に、個別データａのうち少なくとも一部のデータと同一か又は関連性を有する内部データｂを設け、内部データｂは、第１及び／又は第２の基材１１、１２を透かして判読できるようにしたので、表出する個別データａが、内在された内部データｂにより、その正確さが保証される。
【００２１】
（第２実施形態）
図２は、本発明によるデータセキュリティフォームの第２実施形態を示した図である。
第２実施形態のデータセキュリティフォーム１０−２は、キャシュバッククーポン券を例にしたものであり、第１の基材１１と、第２の基材１２とを備え、第１の基材１１には、表出する面（第１の基材１１の表面）に個別データａとして、バーコードが印字されており、第２の基材１２は、第１の基材１１と貼り合わされ、第２の基材１２には、内部データｂとして、個別データａのバーコードと同一の内容の数値データ（例えば、金額）が印字されている。
【００２２】
第２実施形態は、第１の基材１１の表出する面にバーコード（個別データａ）を設け、第２の基材１２の表面の表出しない内部に、数値データ（内部データｂ）を設け、個別データａは、バーコードリーダで機械読み取りして、内部データｂは、第１の基材１１を透かして目視により判読し、同一であれば、このキャシュバッククーポン券は、真正であると判断することができる。
【００２３】
（変形形態）
以上説明した実施形態に限定されることなく、種々の変形や変更が可能であって、それらも本発明の均等の範囲内である。
（１）  例えば、第１の基材１１の裏面に、鏡像で内部データｂを印字するようにしてもよい。
（２）また、第２の基材１２の裏面から、透かし内部データｂを判読するようにしてもよい。この場合、表出する個別データａは、裏面にのみ設けられていてもよいし、表裏両面に設けられていてもよい。
（３）  個別データａと内部データｂとは、貼り合わされたときに、重なるように配置してもよい。このようにすれば、改ざんされるまで、内部データｂが透かしとして、存在することを認識させないようにすることができる。
（４）  請求書の例で説明したが、保険証、証券、金券等、偽造や改ざんを防止したい書類に適用できる。
（５）  第１及び第２の基材は、透過率の低い例で説明したが、いずれか一方のの基材は、透過率がよいものを使用するようにしてもよい。
【００２４】
【発明の効果】
以上詳しく説明したように、本発明によれば、基材の表出する面に個別データを設け、基材の表出しない内部に、内部データを設け、その内部データは、基材を透かして判読できるようにしたので、表出する個別データが、内在された内部データにより、その正確さが保証される、という効果がある。
【図面の簡単な説明】
【図１】本発明によるデータセキュリティフォームの第１実施形態を示す図である。
【図２】本発明によるデータセキュリティフォームの第２実施形態を示す図である。
【符号の説明】
１０、１０−２  データセキュリティフォーム
１１  第１の基材
１２  第２の基材
ａ  個別データ
ｂ  内部データ
【図１】
2005001355.tif 000003
【図２】
2005001355.tif 000004